(57)【要約】【課題】内部の防水を確実に確保できるとともに良好な視認性と高い耐衝撃性とを兼ね備えた製造が容易なカウンターケースを備える魚釣用リールを提供する。【解決手段】本発明に係る魚釣用リールは、表示部１２０を収容するための収容空間Ｓを上部カバー１０４と下部カバー１０６とによって画定するカウンターケース１０２を備え、上部カバー１０４は、表示部１２０を視認可能な表示透視部１０４Ａと、表示透視部１０４Ａの周囲の枠カバー体２００が装着される枠カバー体装着部１０４Ｂとが合成樹脂により一体成形されて成る。【選択図】  図５
2016136929.tif 000002
【特許請求の範囲】
【請求項１】
スプールに巻回される釣糸の繰り出し量および巻き取り量を表示する表示部を収容するための収容空間を上部カバーと下部カバーとによって画定するカウンターケースを備える魚釣用リールであって、
前記上部カバーは、前記表示部を視認可能な表示透視部と、該表示透視部の周囲の枠カバー体が装着される枠カバー体装着部とが合成樹脂により一体成形されて成ることを特徴とする魚釣用リール。
【請求項２】
前記上部カバーの前記枠カバー体装着部に装着される前記枠カバー体は、その貫通穴に前記上部カバーの前記表示透視部が嵌合される状態で装着され、前記上部カバーの前記表示透視部は、その上面が前記枠カバー体の上面よりも僅かに高くなるように前記貫通穴に嵌合されることを特徴とする請求項１に記載の魚釣用リール。
【請求項３】
前記上部カバーの前記枠カバー体装着部に装着される前記枠カバー体は、その貫通穴に前記上部カバーの前記表示透視部が嵌合される状態で装着され、前記上部カバーの前記表示透視部は、その上面が前記枠カバー体の上面とほぼ面一となるように前記貫通穴に嵌合されることを特徴とする請求項１に記載の魚釣用リール。
【請求項４】
前記枠カバー体がリール本体の上部に装着され、前記カウンターケースが前記枠カバー体の内側に着脱可能に一体的に固定されることを特徴とする請求項１から３のいずれか一項に記載の魚釣用リール。
【請求項５】
前記上部カバーおよび前記下部カバーは、前記収容空間の内部を透視可能な合成樹脂によって形成されることを特徴とする請求項１から４のいずれか一項に記載の魚釣用リール。
【発明の詳細な説明】
【技術分野】
【０００１】
本発明は、釣糸の繰り出し量および巻き取り量を表示する表示器を有する糸長計測装置を備える魚釣用リールに関し、特に、前記表示器を収容するカウンターケースの構造に特徴を有する魚釣用リールに関する。
【背景技術】
【０００２】
スプールに巻回される釣糸の繰り出し量や巻き取り量を計測表示する糸長計測装置は、船釣りに使用される多くの両軸リールに備えられる。そして、そのような糸長計測装置を備える両軸リールでは、そのリール本体の上部に、計測値を表示する例えば液晶から成る表示器を収容するカバー体（以下、カウンターケースという）が設けられる。
【０００３】
従来のカウンターケースは、一般に、上部カバーと下部カバーとによって液晶や回路基板を収容する収容空間を画定しており、上部カバーには、前記表示器（液晶）に表示される計測値を容易に視認できるように、上部カバーとは別体のアクリル板やガラス等から成る透明板が取り付けられる。
【０００４】
また、特許文献１には、前記表示器（液晶）を収容するカウンターケースの上部カバーを透明の合成樹脂で一体形成するとともに、前記表示器に表示される計測値の視認性を良くするために、上部カバーの計測値視認窓以外の部位を不透視材の印刷等によって不透視マスク部として形成する、カウンターケース構造が開示されている。
【先行技術文献】
【特許文献】
【０００５】
【特許文献１】特開平１１−１９６７２４号公報
【発明の概要】
【発明が解決しようとする課題】
【０００６】
ところで、カウンターケースの上部カバーに対してこれとは別体の透明板を取り付ける前述した従来の構造では、上部カバーと透明板とが溶着や両面テープ等によって装着固定されるため、その装着固定作業に手間がかかるとともに、外力によって上部カバーと透明板との接合部が破損して防水面において問題が生じる虞もある。例えば、上部カバーと透明板との接合部の破損により生じた隙間からカウンターケース内部に水分が浸入して、内部に設けられる液晶や電子部品に不具合が生じたり、あるいは、浸入した水分に伴う湿気によって透明板が曇ってしまうという問題も生じ得る。
【０００７】
一方、前述した特許文献１では、カウンターケースの上部カバーの裏面または表面に不透視マスク部を印刷する工程が必要となるため手間がかかる。また、上部カバーの表面に不透視マスク部を印刷すると、船上の他物に当たることが多い実釣時に、上部カバーが擦れて印刷が見難くなり、視認性に劣るという問題もある。更に、透明の合成樹脂製の上部カバーが外部に露出されたままである場合には、上部カバーが外部衝撃によって損傷し易いなどの課題も残している。
【０００８】
本発明は、上記した問題に着目してなされたものであり、内部の防水を確実に確保できるとともに良好な視認性と高い耐衝撃性とを兼ね備えた製造が容易なカウンターケースを備える魚釣用リールを提供することを目的とする。
【課題を解決するための手段】
【０００９】
上記した目的を達成するために、本発明は、スプールに巻回される釣糸の繰り出し量および巻き取り量を表示する表示部を収容するための収容空間を上部カバーと下部カバーとによって画定するカウンターケースを備える魚釣用リールであって、前記上部カバーは、前記表示部を視認可能な表示透視部と、該表示透視部の周囲の枠カバー体が装着される枠カバー体装着部とが合成樹脂により一体成形されて成ることを特徴とする。
【００１０】
上記構成の魚釣用リールによれば、上部カバーを構成する表示透視部がその周囲の枠カバー体装着部と一体に成形されているため、言い換えると、前述した従来の構造とは異なり、表示部を視認可能にする表示透視部が上部カバーに一体成形されているため、従来の構造に見られるような接合部破損に伴って表示部を収容する収容空間内に水分が侵入する余地がなくなり、収容空間内部の防水を確実に確保できる。また、表示透視部を上部カバーに装着固定する工程も不要であるため、カウンターケースの製造も容易である。
【００１１】
また、上記構成では、上部カバーが表示透視部の周囲に枠カバー体装着部を有し、この枠カバー体装着部に装着される枠カバー体によって上部カバーを外側から保護できるため、すなわち、表示透明部を除いて合成樹脂製の上部カバーを外部に露出させないようにしているため、高い耐衝撃性を得ることができる（外部衝撃に強い上部カバーを実現できる）。
【００１２】
更に、上記構成のカウンターケースは、表示部を視認可能にする表示透視部を上部カバーが有することに加えて、表示透視部の周囲（枠カバー体装着部）に表示透視部を露出させて際立たせるべく枠カバー体を装着するようになっているため、前述した特許文献１のように表示部の視認性を良くするために不透視材の印刷等によって不透視マスク部を形成する必要がなく、簡単な構成で良好な視認性を得ることができる。
【発明の効果】
【００１３】
本発明によれば、内部の防水を確実に確保できるとともに良好な視認性と高い耐衝撃性とを兼ね備えた製造が容易なカウンターケースを備える魚釣用リールが得られる。
【図面の簡単な説明】
【００１４】
【図１】本発明の一実施形態に係る魚釣用リールの平面図である。
【図２】図１に示される魚釣用リールをハンドル側から見た側面図である。
【図３】図１に示される魚釣用リールに設けられる制御ケース（カウンターケース）の断面図である。
【図４】図３の制御ケース（カウンターケース）の要部拡大断面図である。
【図５】図３の制御ケース（カウンターケース）の拡大断面図である。
【図６】図３の制御ケース（カウンターケース）の分解斜視図である。
【発明を実施するための形態】
【００１５】
以下、図面を参照しながら、本発明の一実施形態に係る魚釣用リールについて説明する。なお、以下の説明において、前後方向、左右方向、上下方向は、図１および図２に矢印で記載の方向と定義する。また、以下の説明では、本発明に係る魚釣用リールを特定の構造を有する電動リールとして説明するが、本発明は、そのような電動リールに限定されず、釣糸の繰り出し量および巻き取り量を表示する表示器を有する糸長計測装置を備える全てのタイプの魚釣用リール（手動の魚釣用リールを含む）に適用できる。
【００１６】
図１および図２に示されるように、本実施形態に係る魚釣用リールとしての電動リール１は、左右のフレーム３ａ，３ｂに左右カバー４ａ，４ｂを取着して構成される左右側板５Ａ，５Ｂを具備したリール本体５を有している。リール本体５を構成する一方の側板（右側板５Ｂ）側には、巻取り操作される手動ハンドル６が設けられており、左右側板５Ａ，５Ｂ間には、釣糸が巻回されるスプール７が、回転軸であるスプール軸（図示せず）を中心に回転可能に支持されている。また、左右のフレーム３ａ，３ｂ間には、リール本体を釣竿に装着するためのリール脚５ａが形成されている。
【００１７】
なお、本実施形態では、スプール７の前方側における左右側板５Ａ，５Ｂ間に駆動モータを保持しており、スプール７は、手動ハンドル６の巻取り操作および前記駆動モータの回転駆動によって、図示しない動力伝達機構を介して釣糸巻取り方向に回転駆動される。また、本実施形態の電動リール１は、魚釣時にスプール７から釣糸が繰り出された際にスプール７の回転にドラグ力を付与する公知のドラグ機構を有しており、リール本体５とハンドル６との間には、前記ドラグ機構によるドラグ力の調整を行なうための星型のドラグ調整ノブ（スタードラグ）２２が設けられている。
【００１８】
また、リール本体５を構成する左右側板５Ａ，５Ｂ間のスプール７の上方には、前記駆動モータを制御する制御部１００（制御基板１００Ａを有する；図３および図５参照）を収容した箱型の制御ケース１０２がカウンターケース（の一種）として配設されている。なお、この制御ケース１０２は、リール本体５を構成する左右側板５Ａ，５Ｂの表面とほぼ面一状になるように構成されてもよい。
【００１９】
制御ケース１０２内に収容される制御部１００は、魚釣用電動リールの動作を制御するＣＰＵ（Central Processing Unit）、糸長を計測したり、駆動モータの出力を可変制御するための各種プログラムや設定情報などを記憶したＲＯＭ（Read Only Memory）、一時記憶領域としてのＲＡＭ（Random Access Memory）、各種駆動回路等を実装した制御基板（あるいは回路基板）１００Ａを備えており、制御基板１００Ａは、各作動要素との間で信号を送受信して、その動作を制御する。また、制御ケース１０２内には、スプール７から繰り出される釣糸の長さ（糸長情報）などを表示する表示部（本実施形態では、液晶表示部）１２０（図３および図５参照）が、制御基板１００Ａの上方に位置して設けられる。
【００２０】
なお、前記糸長計測に関与する装置、具体的には、スプール７に巻回される釣糸の巻き取り量および繰り出し量を検知可能な糸長計測装置（図示せず）は、前記フレーム３ａまたは３ｂに配設されている。この糸長計測装置は、スプール７が釣糸の繰り出し／巻き取りで回転駆動された際に、例えば回転部分に装着されたマグネットとこのマグネットを検知する磁気センサとによって実際の回転量や回転方向を検知してその検知信号を生成し、その検知信号に基づいて制御部１００が糸長計測値を演算して表示部１２０に表示させる。
【００２１】
また、制御ケース１０２の後方部分には、前記駆動モータの出力を調整する操作部材４０が配置されている。この操作部材４０は、左右側板５Ａ，５Ｂ間に支軸４１によって回転可能に支持されており、制御ケース１０２の後端縁１０２ａに沿って配設されている。前記支軸４１は、スプール軸と略平行に配設されており、これにより操作部材４０は、スプール側にも露出した状態となり、前後方向に加え、上下方向に向けて回転操作できるように構成されている。
【００２２】
なお、操作部材４０は、その中央領域にある平面状の操作部４２と、この操作部４２の両側部に段差部４３を介して一体形成される略円筒状の部材４５とから成る。略円筒状の部材４５は、その表面に親指を当て付けて前後方向に転がすことが可能となっており、回転操作が可能なダイヤル状の操作部としての機能を備える。
【００２３】
また、リール本体５内には、スプール７を釣糸巻き取り状態／フリー回転状態に切り換える公知のクラッチ機構が配設されており、それに関連して、手動ハンドル６および駆動モータ８からの動力伝達をＯＮ状態からＯＦＦ状態に切り換えるクラッチＯＦＦ切換部材３２が、スプール７をサミングしながら操作が可能となるようにスプール７の後方側の左右側板５Ａ，５Ｂ間に橋設されるとともに、動力伝達をＯＦＦ状態からＯＮ状態に切り換えるクラッチＯＮ切換部材３３が右側板５Ｂ側に設置される。
【００２４】
また、リール本体５には、前記駆動モータに対して電力を供給するための給電部３８が設けられている。この給電部３８は、左側板５Ａの前方側の下面領域に形成されており、この給電部３８に対しては、着脱可能な携帯バッテリ（図示せず）を装着したり、あるいは、足元に置いたバッテリや釣り船に設置されている電源部から電力供給される給電コードが装着される。
【００２５】
図３〜図６には、前述したカウンターケースとしての制御ケース１０２の詳細が示される。制御ケース１０２は、上部カバー１０４と下部カバー１０６とによって箱状に形成される。上部カバー１０４は、前後左右の側板１０４ａと天板１０４ｂとによって断面が略コの字状（底部が開口する箱状）に形成され、一方、下部カバー１０６は、上部カバー１０４の底部開口を閉じるように上部カバー１０４に例えばネジ留めされる略平坦な板状体として形成される。この場合、特に図３および図５に明確に示されるように、上部カバー１０４と下部カバー１０６との接合部にはシール材１３０が介挿されており、それにより、上部カバー１０４および下部カバー１０６は、スプール７に巻回される釣糸の繰り出し量および巻き取り量を表示する前述した表示部（液晶表示部）１２０と制御部１００を構成する制御基板１００Ａとを収容するための水密な収容空間Ｓを内側に画定する防水構造の筺体を形成する。
【００２６】
上部カバー１０４および下部カバー１０６は、収容空間Ｓの内部を透視可能な合成樹脂によって形成される。例えば、上部カバー１０４は、透明なＡＢＳ材から形成され、このＡＢＳ材には紫外線吸収剤や酸化防止剤などの添加剤が加えられる。紫外線吸収剤や酸化防止剤を添加すると、紫外線による黄変および機械的物性の低下を防ぐことができ、アクリルパネルと同等の信頼性を確保できる。また、下部カバー１０６も上部カバー１０４と同様の素材から形成することができ、あるいは、別の素材から形成することもできる。
【００２７】
上部カバー１０４は、収容空間Ｓ内に位置される表示部１２０を視認可能な表示透視部１０４Ａと、表示透視部１０４Ａの周囲の枠カバー体装着部１０４Ｂとを有する。表示透視部１０４Ａおよび枠カバー体装着部１０４Ｂは前述した合成樹脂により一体成形されて上部カバー１０４の天板１０４ｂを形成しており、この場合、表示透視部１０４Ａは、天板１０４ｂの略中央部に、より具体的には収容空間Ｓ内の表示部１２０と対向する位置に、天板１０４ｂの外表面１０４ｂａから突出するように凸状に形成され、一方、枠カバー体装着部１０４Ｂは、表示透視部１０４Ａを除く天板１０４ｂの部位の一部または全体と、この部位と表示透視部１０４Ａとの間の段差部（例えばテーパ状の段差部）１２５とによって、表示透視部１０４Ａの周囲に形成される（例えば、表示透視部１０４Ａ以外の天板１０４ｂの部位として形成される）。なお、この構成では、成形品の板厚差（表示透視部１０４Ａの厚さＴ１と枠カバー体装着部１０４Ｂの厚さＴ２（図４参照）との差）によって生じ易い射出成形時におけるヒケ、変形等の不具合をテーパ状の段差部１２５によって効果的に抑制でき、表示透視部１０４Ａを通しての良好な視認性を安定して得ることができる。
【００２８】
このように、上部カバー１０４は、その天板１０４ｂの外表面１０４ｂａが表示透視部１０４Ａの部位で凸状に形成されるが、表示部１２０と対向する天板１０４ｂの内面１０４ｂｂは、表示部１２０の視認性を向上させるべく、少なくとも表示透視部１０４Ａの領域にわたって、あるいは、表示透視部１０４Ａおよび枠カバー体装着部１０４Ｂの領域全体にわたって（図３および図５参照）、段差のない滑らかな平坦面として形成される。また、同様に表示部１２０の視認性を向上させる観点から、表示透視部１０４Ａの外表面（上端面）１０４Ａａには金型鏡面処理が施される。このような金型鏡面処理により、十分な透明性を得ることができ、従来のアクリルパネルと同等の視認性を確保できる。
【００２９】
ここで、上部カバー１０４は、その強度向上、小型化、成形性向上が図れるように各部位の寸法が設定されることが好ましい。例えば、上部カバー１０４は、図４に示されるように、表示透視部１０４Ａの厚さＴ１が３ｍｍ〜６ｍｍ、例えば約４ｍｍに設定され、枠カバー体装着部１０４Ｂの厚さＴ２が１．５ｍｍ〜３ｍｍ、例えば約２ｍｍに設定されるとともに、天板１０４ｂの外表面１０４ｂａに対する段差部１２５のテーパ面の角度θが例えば３０°に設定される。
【００３０】
なお、上部カバー１０４は、表示透視部１０４Ａ付近に、特に表示透視部１０４Ａの後端縁に沿って、各種の情報を設定可能な複数の操作ボタン１２１が挿通される複数の通孔１４２を有する。通孔１４２に挿通される操作ボタン１２１は、例えば、投入した仕掛けを所望の深さで停止させる深さ情報、駆動モータの出力の可変範囲を変更する出力範囲設定情報など、釣り人から各種の情報を受け付ける機能を有する。
【００３１】
上部カバー１０４の前記枠カバー体装着部１０４Ｂには枠カバー体２００が装着されるようになっている。枠カバー体２００は、その材質が例えばＡＢＳ等から形成されるとともに、厚みが例えば１．５ｍｍに設定されており、枠カバー体装着部１０４Ｂに装着された状態で上部カバー１０４の取り付けフランジ１３７にネジ留め固定される一方で、リール本体６の上部にも例えばネジ留め装着される。つまり、本実施形態において、制御ケース１０２は、枠カバー体の内側に着脱可能に一体的に固定される。
【００３２】
枠カバー体２００は、制御ケース１０２に対しては、上部カバー１０４の枠カバー体装着部１０４Ｂにこれを覆うように外側から装着された状態で、上部カバー１０４の表示透視部１０４Ａと嵌合して位置決めされるようになっている。そのため、枠カバー体２００には、枠カバー体装着部１０４Ｂに装着された状態で表示透視部１０４Ａが挿入嵌合される貫通穴２００ａが設けられる。この貫通穴２００ａは、表示部１２０を視認可能にする表示透視部１０４Ａを外部に露出させるための表示窓として機能する。
【００３３】
なお、枠カバー体２００は、上部カバー１０４の通孔１４２に挿通された前記操作ボタン１２１を外部に露出させるべく挿通させるための複数の通孔２００ｃを有するとともに、前述した操作部材４０の両側の支軸４１をカバーする張出カバー部２００ｄとを有する。
【００３４】
また、枠カバー体２００は、貫通穴２００ａが開口するその上面が陥凹部２００ｂとなっており、この陥凹部２００ｂには、各種の操作表示等が印刷された表示板２０５が嵌め付けられる。この場合、表示板２０５には、枠カバー体２００の通孔２００ｃおよび貫通穴２００ａに対応する通孔２０５ｂおよび貫通穴２０５ａが形成される。なお、表示板２０５が存在せず、枠カバー体２００の上面（表面）に操作表示等が印刷されていても構わない。
【００３５】
また、本実施形態に係る制御ケース１０２における上部カバー１０４の表示透視部１０４Ａは、枠カバー体２００が枠カバー体装着部１０４Ｂに装着されて制御ケース１０２が枠カバー体２００の内側に一体的に固定された図１〜図５の状態で、その上面１０４Ａａが枠カバー体２００の上面（枠カバー体２００に表示板２０５が取り付けられる本実施形態では、表示板２０５の上面）よりも僅かに高くなるように枠カバー体２００の貫通穴２００ａに嵌合されるようになっている。例えば、図４に示されるように、表示透視部１０４Ａの上面１０４Ａａは、表示板２０５の上面から例えば０．１ｍｍ〜０．２ｍｍの突出高さＴ３で突出する。あるいは、図４の装着状態で、上部カバー１０４の表示透視部１０４Ａは、その上面１０４Ａａが枠カバー体２００の上面（枠カバー体２００に表示板２０５が取り付けられる本実施形態では、表示板２０５の上面）とほぼ面一となるように貫通穴２００ａに嵌合されてもよい（図示せず）。
【００３６】
以上説明したように、本実施形態の魚釣用リールによれば、上部カバー１０４を構成する表示透視部１０４Ａがその周囲の枠カバー体装着部１０４Ｂと一体に成形されているため、言い換えると、前述した従来の構造とは異なり、表示部１２０を視認可能にする表示透視部１０４Ａが上部カバー１０４に一体成形されているため、従来の構造に見られるような接合部破損に伴って表示部１２０を収容する収容空間Ｓ内に水分が侵入する余地がなくなり、収容空間Ｓ内部の防水を確実に確保できる。また、表示透視部１０４Ａを上部カバー１０４に装着固定する工程も不要であるため、制御ケース１０２の製造も容易である。
【００３７】
また、本実施形態では、上部カバー１０４が表示透視部１０４Ａの周囲に枠カバー体装着部１０４Ｂを有し、この枠カバー体装着部１０４Ｂに装着される枠カバー体２００によって上部カバー１０４を外側から保護できるため、すなわち、表示透明部１０４Ａを除いて合成樹脂製の上部カバー１０４を外部に露出させないようにしているため、高い耐衝撃性を得ることができる（外部衝撃に強い上部カバー１０４を実現できる）。
【００３８】
更に、本実施形態の制御ケース１０２は、表示部１２０を視認可能にする表示透視部１０４Ａを上部カバー１０４が有することに加えて、表示透視部１０４Ａの周囲（枠カバー体装着部１０４Ｂ）に表示透視部１０４Ａを露出させて際立たせるべく枠カバー体２００を装着するようになっているため、前述した特許文献１のように表示部の視認性を良くするために不透視材の印刷等によって不透視マスク部を形成する必要がなく、簡単な構成で良好な視認性を得ることができる。
【００３９】
また、本実施形態において、上部カバー１０４の表示透視部１０４Ａは、枠カバー体装着部１０４Ｂに枠カバー体２００が装着された状態で、その上面１０４Ａａが枠カバー体２００（表示板２０５）の上面よりも僅かに高くなるように枠カバー体２００の貫通穴２００ａに嵌合されるため、表示透視部１０４Ａに水分や異物等が滞留することを防止できる。これに対し、表示透視部１０４Ａの上面１０４Ａａが枠カバー体２００（表示板２０５）の上面よりも低いと、装着状態で表示透視部１０４Ａが嵌まり込む貫通孔２００ａが陥凹部状となってここに（表示透視部１０４Ａ内に）水分や異物等が入り込み易く、そのまま滞留する虞がある。また、表示透視部１０４の上面１０４Ａａが枠カバー体２００（表示板２０５）の上面よりも低いと、表示透視部１０４Ａを取り囲む枠カバー体２００の貫通孔２００ａの縁部付近で表示透視部１０４Ａ上に影ができやすく、これが表示透視部１０４Ａの視認性を低下させる虞がある。しかしながら、本実施形態のように表示透視部１０４Ａの上面１０４Ａａが枠カバー体２００（表示板２０５）の上面よりも僅かに高いと、そのような影の形成を防止でき、表示透視部の視認性を向上できる。
【００４０】
なお、前述したように、上部カバー１０４の表示透視部１０４Ａは、枠カバー体装着部１０４Ｂに枠カバー体２００が装着された状態で、その上面１０４Ａａが枠カバー体２００（表示板２０５）の上面と略面一となるように枠カバー体２００の貫通穴２００ａに嵌合されてもよい。その場合には、表示透視部１０４Ａの上面１０４Ａａが枠カバー体２００（表示板２０５）の上面よりも低い場合と同様、水分や異物等の滞留および影の形成を防止できるだけでなく、表示透視部１０４Ａと他物との接触も防止できる。すなわち、表示透視部１０４Ａの上面１０４Ａａが枠カバー体２００の上面よりも高く突出しすぎると、その突出する表示透視部１０４Ａが他物と接触し易くなり、表示透視部１０４Ａが破損する虞があるが、表示透視部１０４Ａの上面１０４Ａａと枠カバー体２００（表示板２０５）の上面とが略面一であれば、そのような接触・破損の事態を防止できる。
【００４１】
また、本実施形態では、制御ケース（カウンターケース）１０２が枠カバー体２００に着脱可能であるため、制御ケース１０２の取り扱い性が向上するとともに、制御ケース１０２が枠カバー体２００の内側に一体的に固定されるため、制御ケース１０２が枠カバー体２００によって保護され、制御ケース１０２の耐衝撃性が向上する（枠カバー体２００は、外部衝撃に対する補強部材として機能し得る）。
【００４２】
また、本実施形態において、上部カバー１０４および下部カバー１０６は、収容空間Ｓの内部を透視可能な合成樹脂によって形成されているため、外部観察によって収容空間Ｓ内の電子部品の故障部位を特定することが可能となる。
【００４３】
以上、本発明の実施形態を説明してきたが、本発明は、前述した実施形態に限定されることなく、その要旨を逸脱しない範囲で種々変形して実施できる。例えば、前述した実施形態では、本発明が特定の構造を有する電動リールに適用されたが、本発明は、そのような電動リールに限定されず、釣糸の繰り出し量および巻き取り量を表示する表示器を有する糸長計測装置を備える全てのタイプの魚釣用リール（手動の魚釣用リールを含む）に適用できる。なお、本発明が電動リールではなく手動の魚釣用リールに適用されれば、収容空間Ｓ内には、糸長計測装置を制御する制御基板と、釣糸の繰り出し量および巻き取り量を表示する液晶表示部のみが収容され、したがって、前述した電動リールの制御ケースが文字通りのカウンターケースとなる。また、前述した実施形態において、上部カバー、下部カバー、および、枠カバー体は、その形状、寸法、取り付け形態が任意である。
【符号の説明】
【００４４】
１  電動リール（魚釣用リール）
５  リール本体
７  スプール
１０２  制御ケース（カウンターケース）
１０４  上部カバー
１０４Ａ  表示透視部
１０４Ｂ  枠カバー体装着部
１０４Ａａ  上面
１０６  下部カバー
１２０  表示部
２００  枠カバー体
２００ａ  貫通穴
Ｓ  収容空間
【図１】
2016136929.tif 000003
【図２】
2016136929.tif 000004
【図３】
2016136929.tif 000005
【図４】
2016136929.tif 000006
【図５】
2016136929.tif 000007
【図６】
2016136929.tif 000008